(57)【要約】      （修正有）【課題】店舗で販売される料理の盛り付けに用いられる盛り皿並びに異なる２つの盛り皿を提供する。【解決手段】盛り皿１０，１２は、同心の内外２つの円弧状部分１８ａ，１８ｂ，２０ａ，２０ｂと、両円弧状部分の両端にそれぞれ連なりかつ両円弧状部分の半径方向へそれぞれ伸びる２つの直線状部分１８ｃ，１８ｄ，２０ｃ，２０ｄとからなる渕先１８，２０を備える。一方の盛り皿１０の渕先の外側の円弧状部分１８ｂと他方の盛り皿１２の渕先の内側の円弧状部分２０ａとは同じ伸長方向長さを有し、また、一方の盛り皿の渕先の両直線状部分１８ｃ，１８ｄがなす角度と他方の盛り皿の渕先の両直線状部分２０ｃ，２０ｄがなす角度とは等しい。【選択図】図１
0003199611.tif 000002
【実用新案登録請求の範囲】
【請求項１】
盛り皿であって、
同心の内外２つの円弧状部分と、両円弧状部分の両端にそれぞれ連なりかつ両円弧状部分の半径方向へそれぞれ伸びる２つの直線状部分とからなる渕先を備える、盛り皿。
【請求項２】
２つの盛り皿であって、
それぞれが同心の内外２つの円弧状部分と、両円弧状部分の両端にそれぞれ連なりかつ両円弧状部分の半径方向へそれぞれ伸びる２つの直線状部分とからなる渕先を備え、
一方の盛り皿の渕先の外側の円弧状部分の伸長方向長さと、他方の盛り皿の渕先の内側の円弧状部分の伸長方向長さとが等しく、
前記一方の盛り皿の渕先の両直線状部分がなす角度と、前記他方の盛り皿の渕先の両直線状部分がなす角度とが等しい、２つの盛り皿。
【請求項３】
前記両直線状部分がなす角度は４５°である、請求項２に記載の２つの盛り皿。
【考案の詳細な説明】
【技術分野】
【０００１】
本考案は、盛り皿に関し、特に店舗で販売される惣菜やサラダのような料理の店舗内での陳列のために用いられる盛り皿に関する。
【背景技術】
【０００２】
従来、複数種類の料理の盛り付けに用いられる複数の皿の組み合わせが提案されている。組み合わされる複数の皿は、それぞれ、一又は複数の正三角形によって形成された多角形の縁辺に沿って伸びる渕先を有する（特許文献１参照）。
【０００３】
ところで、店舗で販売される料理の盛り付けに用いられる皿の組み合わせは、外形上、料理を引き立たせ、購買意欲の促進に資するものであることが望まれる。この観点において、前記従来の皿の組み合わせはその外形が直線の一部である線分のみにより規定されており、店舗で販売される料理の盛り付け用として十分でない。
【先行技術文献】
【特許文献】
【０００４】
【特許文献１】特開平１１−１７８６９１号公報
【考案の概要】
【考案が解決しようとする課題】
【０００５】
本考案の目的は、店舗で販売される料理の盛り付けのために組み合わせて用いられる盛り皿を提供することにある。また、本考案の他の目的は、店舗で販売される料理の盛り付けのために組み合わせて用いられる異なる２つの盛り皿を提供することにある。
【課題を解決するための手段】
【０００６】
本考案に係る盛り皿は、同心の内外２つの円弧状部分と、両円弧状部分の両端にそれぞれ連なりかつ両円弧状部分の半径方向へそれぞれ伸びる２つの直線状部分とからなる渕先を備える。
【０００７】
本考案の盛り皿は、その渕先が全体に弧状を呈する。本考案によれば、複数の盛り皿をこれらの渕先の両直線状部分の一方において互いに当接させ、全体に湾曲して伸びる帯状の平面形態を示すように組み合わせることができる。この組み合わせによる前記湾曲して伸びる帯状の平面形態は、購買客の目を引き付けることに役立ち、同時に、盛り付けられる惣菜やサラダのような料理を引き立たせ、購買意欲の促進に資する。
【０００８】
また、本考案に係る２つの盛り皿は、それぞれ、同心の内外２つの円弧状部分と、両円弧状部分の両端にそれぞれ連なりかつ両円弧状部分の半径方向へそれぞれ伸びる２つの直線状部分とからなる渕先を備え、一方の盛り皿の渕先の外側の円弧状部分の伸長方向長さと他方の盛り皿の渕先の内側の円弧状部分の伸長方向長さとが等しく、また、前記一方の盛り皿の渕先の両直線状部分がなす角度と前記他方の盛り皿の渕先の両直線状部分がなす角度とが等しい。前記両直線状部分がなす角度は例えば４５°とすることができる。
【０００９】
本考案に係る２つの盛り皿は、全体に弧状を呈しまた弧長の大きさを異にする渕先を有する。弧長が小さい一方の盛り皿と弧長が大きい他方の盛り皿とは、前記したと同様、これらが両直線状部分の一方において接し、全体に湾曲した帯状の平面形態を呈するように組み合わせることができる。この組み合わせは、弧長の大きさが異なる２つの盛り皿を含むため、同一の弧長を有する２つの盛り皿からなる組み合わせとは異なる湾曲して伸びる帯状の平面形態を示す。また、２つの盛り皿は、それぞれ、伸長方向長さを同一にする内側の円弧状部分及び外側の円弧状部分を有することから、これらの内外両円弧状部分が互いに接し、全体に扇形の平面形態をなすように組み合わせることができる。
【図面の簡単な説明】
【００１０】
【図１】互いに組み合わされた２つの盛り皿の斜視図である。
【図２】図１に示す２つの盛り皿の底面側の斜視図である。
【図３】互いに組み合わされた３つの同一形状の盛り皿の平面図である。
【図４】互いに組み合わされた２つの同一形状の盛り皿の平面図である。
【図５】互いに組み合わされ他の形態をなす、図１に示す２つの盛り皿の平面図である。
【図６】互いに組み合わされ他の形態をなす、図３に示す３つの同一形状の盛り皿の平面図である。
【図７】互いに組み合わされ他の形態をなす、図４に示す２つの同一形状の盛り皿
【図８】互いに組み合わされさらに他の形態をなす、図１に示す２つの盛り皿の平面図である。
【図９】図８に示す２つの盛り皿を一組として組み合わされた２組の盛り皿の平面図である。
【考案を実施するための形態】
【００１１】
図１及び図２を参照すると、本考案に係る２つの盛り皿がそれぞれ全体に符号１０及び１２で示されている。これらの盛り皿１０及び１２は、特に、店舗において販売される惣菜やサラダのような料理（図示せず）を陳列する器としての使用に適する。
【００１２】
盛り皿１０は、窪みのある盛り場１４の周囲を取り巻く渕先１８を備える。盛り皿１２も、同様に、窪みのある盛り場１６の周囲を取り巻く渕先２０を備える。図２において、符号１７及び１９は、それぞれ、盛り皿１０の底面及び盛り皿１２の底面を示す。
【００１３】
盛り皿１０の渕先１８は、同心の内外２つの仮想円弧上を伸びる部分すなわち同心の内外２つの円弧状部分１８ａ、１８ｂと、前記２つの仮想円弧にこれらの両端においてそれぞれ連なりかつ両仮想円弧の半径方向へそれぞれ伸びる２つの線分上を伸びる部分すなわち両円弧状部分１８ａ、１８ｂにこれらの両端においてそれぞれ連なりかつ両円弧状部分１８ａ、１８ｂの半径方向へそれぞれ伸びる２つの直線状部分１８ｃ、１８ｄとを有する。盛り皿１２も、また、盛り皿１０におけると同様、同心の内外２つの円弧状部分２０ａ、２０ｂと、両円弧状部分２０ａ、２０ｂに連なりかつ両円弧状部分２０ａ、２０ｂの半径方向へそれぞれ伸びる２つの直線状部分２０ｃ、２０ｄとを有する。このため、盛り皿１０の渕先１８及び盛り皿１２の渕先２０はそれぞれ全体に弧状を呈する。
【００１４】
盛り皿１０の内側の円弧状部分１８ａの伸長方向長さ（周方向長さ）は、その外側の円弧状部分１８ｂの伸長方向長さ（周方向長さ）より小さく、また、両直線状部分１８ｃ、１８ｄの伸長方向長さ（径方向長さ）は等しい。同様に、盛り皿１２の内側の円弧状部分２０ａの伸長方向長さ（周方向長さ）は、その外側の円弧状部分２０ｂの伸長方向長さ（周方向長さ）より小さく、また、両直線状部分２０ｃ、２０ｄの伸長方向長さ（径方向長さ）は等しい。ここにおいて、一方の盛り皿１０の外側の円弧状部分１８ｂの周方向長さと、他方の盛り皿１２の内側の円弧状部分２０ａの周方向長さとが等しい。このため、盛り皿１０の渕先１８及び盛り皿１２の渕先２０は異なる弧長を有し、したがって、異なる平面形状を有する。
【００１５】
さらに、一方の盛り皿１０の両直線状部分１８ｃ、１８ｄがなす角度と、他方の盛り皿１２の両直線状部分２０ｃ、２０ｄがなす角度とは共に等しい値α（図８参照）を有する。値αは任意に定めることができるが、例えば４５°とすることができる。
【００１６】
両盛り皿１０、１２は、これらの直線状部分１８ｃ、１８ｄ、２０ｃ、２０ｄがそれぞれ同一の径方向長さを有することから、両盛り皿１０、１２の直線状部分同士、例えば図１に示すように直線状部分１８ｄ、２０ｄ同士を突き合わせると、両盛り皿１０，１２は全体に湾曲して伸びる帯状の平面形態を示すように並ぶ。このとき、両盛り皿１８，２０の渕先の内側の円弧状部分１８ａ及び外側の円弧状部分２０ｂと、外側の円弧状部分１８ｂ及び内側の円弧状部分２０ａとが、それぞれ、前記帯状の平面形態において湾曲して伸びる２つの輪郭線を規定する。これらの輪郭線は、それぞれ、突き合わされた両盛り皿１０、１２相互の境界において湾曲方向が変化する曲線（変曲線）を構成する。
【００１７】
前記変曲線からなる２つの輪郭線を含む帯状の平面形態は、図１に示す例に代えて、同一の平面形状を有する複数(例えば３つ)の盛り皿１０の組み合わせ（図３）、又は、同一の平面形状を有する他の複数（例えば２つ）の盛り皿１２の組み合わせ（図４）によっても得ることができる。また、１又は複数の盛り皿１０と１又は複数の盛り皿１２とを任意に組み合わせることによっても得ることができる。
【００１８】
また、図５に示すように、盛り皿１０の直線状部分１８ｄと盛り皿１２の（直線状部分２０ｃに代えて）直線状部分２０ｄとを互いに突き合わせると、前記した帯状の平面形態とは異なる他の帯状の平面形態を示す。この他の帯状の平面形態にあっては、その両輪郭線がそれぞれ内側の円弧状部分１８ａ、２０ａと外側の円弧状部分１８ｂ、２０ｂとにより規定され、両輪郭線は２つの（変曲線ではなく）同心の円弧をなす。
【００１９】
前記同心の円弧からなる両輪郭線を含む前記帯状の平面形態は、図５に示す例に代えて、同一の平面形状を有する複数(例えば３つ)の盛り皿１０の組み合わせ（図６）、又は、同一の平面形状を有する他の複数（例えば２つ）の盛り皿１２の組み合わせ（図７）によっても得ることができる。また、１又は複数の盛り皿１０と１又は複数の盛り皿１２とを任意に組み合わせることによっても得ることができる。
【００２０】
前記したように、一方の盛り皿１０の外側の円弧状部分１８ｂの周方向長さと他方の盛り皿１２の内側の円弧状部分２０ａの周方向長さとが等しく、また、一方の盛り皿１０の両直線状部分１８ｃ、１８ｄがなす角度と他方の盛り皿１２の両直線状部分２０ｃ、２０ｄがなす角度とは等しい（＝α）。このことから、一方の盛り皿１０の外側の円弧状部分１８ｂと他方の盛り皿１２の内側の円弧状部分２０ａとを互いに突き合わせると、突き合わされた両盛り皿１０，１２がこれらの一方の直線状部分１８ｃ、２０ｃと他方の直線部分１８ｄ、２０ｄとがそれぞれ２つの仮想直線上に並ぶ（図８）。このように突き合わされて組み合わされた両盛り皿１０、１２は、全体に扇形の平面形態をなし、前記扇形は開き角度αを有する。
【００２１】
さらに、図９に示すように、前記扇形の平面形態なす両盛り皿１０、１２の２つの組み合わせを例えばこれらの直線状部分１８ｃ、２０ｃ及び１８ｄ、２０ｄが互いに接するように周方向へ連ねると、開き角度の値が２αであるより大きい他の扇形の平面形態が形成される。前記組み合わせの数は３以上とすることができる。
【符号の説明】
【００２２】
１０、１２  盛り皿
１８，２０  渕先
１８ａ、１８ｂ  一方の盛り皿の渕先における内外２つの円弧状部分
１８ｃ、１８ｄ  一方の盛り皿の渕先における２つの直線状部分
２０ａ、２０ｂ  他方の盛り皿の渕先における内外２つの円弧状部分
２０ｃ、２０ｄ  他方の盛り皿の渕先における２つの直線状部分
α  一方及び他方の各盛り皿の渕先における２つの直線状部分の交差角度
【図１】
0003199611.tif 000003
【図２】
0003199611.tif 000004
【図３】
0003199611.tif 000005
【図４】
0003199611.tif 000006
【図５】
0003199611.tif 000007
【図６】
0003199611.tif 000008
【図７】
0003199611.tif 000009
【図８】
0003199611.tif 000010
【図９】
0003199611.tif 000011